(57)【要約】      （修正有）【課題】  適切な美白化粧料などの化粧料を客観的且つ容易に選択する方法を提供する。【解決手段】  メラニンの存在状態と皮膚の色ムラを指標に、美白化粧料などの化粧料を選択する。採取した角質細胞におけるメラニンの存在状態の優劣を数値化した評点（Ａ）と、顔の色ムラ状態の優劣を数値化した評点（Ｂ）と、評点（Ａ）及び評点（Ｂ）、及び顔全体の印象をもとに評価される肌の美しさを予め重回帰分析して得られた回帰式を用いて、メラニン存在状態と色ムラとの加重比の関係を求め、評点（Ａ）及び評点（Ｂ）に加重比を乗じることにより、評点（Ｃ）（色調順調度）を得、予め５段階に分類された美白基礎化粧料を美白作用の程度に従って、評点（Ｃ）の段階に応じた美白基礎化粧料を選択する。【選択図】  なし【特許請求の範囲】
【請求項１】
（１）下記の工程により評点（Ａ）を得；
（ｉ）メラニンの存在量が多くメラニンの不均一性が大きいほどメラニンの存在状態を「劣」とし、メラニンの存在量が少なくメラニンの不均一性が小さいほどメラニンの存在状態を「優」として、メラニンの存在状態を優劣に応じて５段階に分け、各段階に優劣に応じた評点を付与した指標を予め用意し、
（ii）採取した角質細胞を顕微鏡観察し、上記（ｉ）の指標を用いることにより、採取した角質細胞におけるメラニンの存在状態の優劣を上記（ｉ）の５段階で評価し、該当する段階に付与されている評点を、該採取した角質細胞におけるメラニンの存在状態の優劣を数値化した評点（Ａ）として得、
（２）下記の工程により評点（Ｂ）を得；
（ｉ）モーフィングにより作成した色ムラの標準顔を用いて、色ムラ状態の優劣に応じて５段階に分け、各段階に優劣に応じた評点を付した指標を予め用意し、
（ii）顔の色ムラ状態を上記色ムラ標準顔と比較観察し、上記（ｉ）の指標を用いることにより、顔の色ムラ状態の優劣を上記（ｉ）の５段階で評価し、該当する段階に付与されている評点を、該顔の色ムラ状態の優劣を数値化した評点（Ｂ）として得、
（３）下記工程により評点（Ａ）と（Ｂ）から評点（Ｃ）を得；
（ｉ）上記（１）若しくは上記（２）と同様にして得られる評点（Ａ）と評点（Ｂ）、及び顔全体の印象をもとに評価される肌の美しさを予め重回帰分析して得られた回帰式を用いて、メラニン存在状態と色ムラとの加重比の関係を求め、
（ii）上記（１）と上記（２）で得られた評点（Ａ）及び評点（Ｂ）に上記（ｉ）で得られた加重比を乗じることにより、評点（Ｃ）（色調順調度）を得、
（４）美白基礎化粧料を美白作用の程度に従って５段階に予め分類し、
上記（３）で得られた評点（Ｃ）の結果を優劣に応じ５段階に分類し、評点（Ｃ）（色調順調度）の結果がもっとも悪い段階（色ムラやメラニンの存在状態がもっとも悪い段階）の場合には段階１（美白作用にもっとも優れる段階）の美白基礎化粧料を、評点（Ｃ）の結果が次に悪い段階の場合には段階２（次に美白作用に優れる段階）の美白基礎化粧料を、評点（Ｃ）の結果が中程の段階の場合には段階３（美白作用も中程の段階）の美白基礎化粧料を、評点（Ｃ）の結果が良好な段階の場合には段階４（さほど美白作用を有さない段階）の美白基礎化粧料を、評点（Ｃ）の結果がもっとも良い段階（色ムラやメラニンの存在状態がもっとも良い段階）の場合には段階５（美白作用をもっとも有さない段階）の美白基礎化粧料を選択することを特徴とする、美白基礎化粧料の選択法。
【請求項２】
前記評点（Ｃ）（色調順調度）は、前記評点（Ａ）に０．２〜０．４を乗じた値と、前記評点（Ｂ）に０．８〜０．６を乗じた値とを合わせた値であることを特徴とする、請求項１に記載の美白基礎化粧料の選択法。
【請求項３】
前記段階１の美白基礎化粧料として、ハイドロキノン誘導体、アスコルビン酸誘導体及びソウハクヒエキスを含有する化粧料を、前記段階２の美白基礎化粧料として、ハイドロキノン誘導体、ソウハクヒエキス及びローヤルゼリーを含有する化粧料を、前記段階３の美白基礎化粧料として、アスコルビン酸誘導体、ソウハクヒエキス及びローヤルゼリーを含有する化粧料を、前記段階４の美白基礎化粧料として、ソウハクヒエキス及びローヤルゼリーを含有する化粧料を、前記段階５の美白基礎化粧料として、ローヤルゼリーを含有する化粧料を選択することを特徴とする、請求項１又は２に記載の美白基礎化粧料の選択法。
【発明の詳細な説明】
【技術分野】
【０００１】
本発明は、基礎化粧料の選択などに好適な、化粧料の選択法に関する。
【背景技術】
【０００２】
色の白いは７難隠すという言葉があるように、白い美しい肌を保つことは女性であれば誰もが望んで止まないことである。この為に、種々の化粧料用の美白素材が開発されている。この様な美白素材としては、例えば、アスコルビン酸とその誘導体、グルタチオンとその誘導体、ハイドロキノンとその誘導体、種々の生薬エキス等がこれまで開発されてきている。又、皮膚の色が黒くなるメカニズムとしては多数のステップが見出されており、一口にメラニンの生成阻害と言って多くのメカニズムが存在することも知られている。この為、美白化粧料の種類は、今や膨大な数に上っている。従って、美白化粧料を使用しようとするものは、どの美白化粧料が自分に適する美白化粧料なのか、選択するのに戸惑うことが少なくなかった。即ち、的確な個人個人に適した美白化粧料の選択手段が望まれていた。更に、この色素トラブルの程度は目視により、主観的に判断されることが多いが、客観的にこれを鑑別する方法もまだ知られていないのが現状であった。
【０００３】
一方、適切な美白化粧料を選択するための、使用者の特性として、適用部位に於ける色ムラとメラニンの存在状態が因子となっていることは、全く知られていなかった。従って、この様なパラメーターを使用することにより、個人個人に適合した美白化粧料が選択できることも全く知られていなかった。
【発明の開示】
【発明が解決しようとする課題】
【０００４】
本発明はこの様な状況下為されたものであり、適切な美白化粧料を客観的且つ容易に選択する方法を提供することを課題とする。
【課題を解決するための手段】
【０００５】
本発明者らは、この様な状況に鑑みて、適切な美白化粧料を客観的且つ容易に選択する方法を求め、鋭意研究努力を重ねた結果、メラニンの存在状態と皮膚の色ムラが基礎化粧料の適切な美白力と極めて関係が深いことを見出し、これを指標にすることにより、この様な選択が為しうることを見出し、発明を完成させるに至った。以下、本発明について、実施の形態を中心に詳細に説明を加える。
【発明の効果】
【０００６】
本発明によれば、適切な美白化粧料などの化粧料を客観的且つ容易に選択する方法を提供することができる。
【発明を実施するための最良の形態】
【０００７】
（１）メラニンの角層に於ける存在状態
メラニンは表皮組織に存在する色素であるが、その存在形態は様々に異なっている。この種々の存在形態を有するメラニンの比較には、例えば、次のような基準をもって行うと、かなり生態学的に適合した分類が出来るので好ましい。即ち、メラニンの存在状態を分類するに際して、角質細胞に於けるその存在量と、存在のバラツキを指標とした不均一性の２軸を用いることである。この様なメラニンの存在状態の鑑別は手技的には既に多くの方法が知られており、それらを用いればよい。しかしながら、最も好ましい方法は、本発明者らが考案した、粘着ディスクに角質細胞を採取し、これを透明粘着テープ上に転写し、これを硝酸銀とゲンチアナバイオレットで染色する方法である。即ち、採集された標本
は、０．５％の硝酸銀水溶液にアンモニア水を滴下しｐＨを１０に調整した銀染色液を用い、４５℃１０分間処理し銀染色した後、３回水洗し０．１５％ゲンチアナバイオレット液で１０分処理した。この標本を水洗、乾燥させ、透明シリコーン剤を染色済みの部分を覆うように流し込みカバーグラスをのせてサンプルとし、顕微鏡観察する方法である。この様に測定された、メラニンの存在量とその存在の不均一性は、メラニンの存在状態の観察印象にともに大きな影響を有しており、その関係は独立している。即ち、メラニンの存在量が多く不均一性も大きいほど肌は、美しい肌から離れ、美白物質による多重の美白メカニズムを働かせることが必要になり、逆に、メラニンの存在量も少なく、不均一性が少ないほど美しい肌になり、美白化粧料による美白作用それほど必要でなくなる。つまり、メラニンの状態について、角層に於けるメラニンの存在量と不均一性を箱形モデルを用いて一軸化することにより、指標とすることが出来る。これを用いるのが判定が行いやすい為非常に好適であるが、他の方法によってメラニンの存在状態を一軸化し、指標とすることも本発明の技術範囲に属する。前記箱形モデル軸の一例を図１に示す。この例よりわかるように、この軸でメラニンの存在状態は明白に鑑別できる。
【０００８】
（２）色ムラ
本発明の化粧料の選択法では、上記メラニンの存在状態以外に肌の色ムラの程度を指標とする。肌の色ムラもメラニンの存在状態の悪さと同様に、メラニンの産生異常を原因として起こるものであり、美白化粧料など化粧料によって補正されるべき肌トラブルであり、この両者が改善されて始めて本当に美しい白い肌の基礎となりうる。これらメラニンの存在状態と色ムラとは互いに独立の関係であり、これら単独でもそれぞれ適切な美白作用に対する因子となっている。これら両者を組み合わせることにより更に適切な美白化粧料の選択が為しうる。これは角層のメラニンは主としてミクロ的なものであり、バックグランド的な要素があるのに対して、色ムラはよりマクロ的なものである為、その適切な美白作用発揮への寄与は大きい。これを後記実施例に示す如く、テストにより多変量解析してみると、その加重比はメラニンの存在状態０．２〜０．４に対して、色ムラ０．６〜０．８となる。この加重を用いて、適切な美白作用に対する軸を設定すれば、優れた美白化粧料の選択基準となる。ここで、色ムラの評価であるが、その評価法としては、顔の様子を画像としてコンピューターに取り込み、二値化等の処理を加え、その分布を求めたり、コンピューターモーフィングの手法を用い、色ムラの標準顔をいくつか作成し、この標準顔と照らし合わせて、その程度を鑑別したりすることにより、数値として表すことが出来る。この数値は、肉眼による標準顔との比較によって算出されるものであっても、その再現性は極めて良好で、客観的な数値として使用することが出来る。この様な色ムラの標準顔の例を図２に示す。この標準顔を用いて、観察者３名で、無作為に選出したパネラー３名の顔の色ムラを判定した結果を、次の表１に示す。これより、この様な鑑別手段であっても再現性が高いことがわかる。従って、簡便性を考えると、この様な方法で色ムラを鑑別し、指標として用いることが好ましい。
【０００９】
【表１】
2005283595.tif 000002
【００１０】
（３）本発明の化粧料の選択法
本発明の化粧料の選択法は、皮膚の角質細胞中のメラニンの存在状態と色ムラを指標と
することを特徴とする。後記に示す如く、美しい肌とメラニンの存在状況、色ムラの関係は、（肌の美しさ）＝０．２５３×（角質細胞に於けるメラニンの存在状態）＋０．９３６×（肌の色ムラ）＋１．３５４で著される式に回帰している。即ち、この式からもわかるように、メラニンの存在状態を改善し、肌の色ムラを少なくすることにより、美肌値を挙げることが出来る。即ち、美白化粧料を使用しようとする人は、メラニンの存在状態と肌の色ムラより、この美肌値を算出し、この値が小さければ、より美白効果の高い化粧料を選択し、この美肌値が大きければ、さほど美白効果を有さない化粧料を選択すれば良い。ここで、美白剤については、不適切に美白作用の高い化粧料を使用した場合、白斑などの副作用を引き起こす場合があるので、適切な美白作用の化粧料を選択することが必要であることも頭に入れておかなければならない。この美肌値と使用する化粧料の美白剤との関係を大凡表２に示す。この表に従って美白化粧料を選択することにより、適切な美白化粧料を選び出すことが出来る。更に、他の選択評価軸を加えて更に詳細な選択をすることも可能であり、この様な選択も、又、本発明の技術的範囲に属する。
【００１１】
＜統計処理例＞
無作為に抽出した女性パネラー３３４名（年齢１６〜７１歳）を用いて、右頬部より粘着ディスク法により角質細胞を採取し、粘着テープに転写し、これを０．５％の硝酸銀水溶液にアンモニア水を滴下しｐＨを１０に調整した銀染色液を用い、４５℃１０分間処理し銀染色した後、３回水洗し０．１５％ゲンチアナバイオレット液で１０分処理した。この標本を水洗、乾燥させ、透明シリコーン剤を染色済みの部分を覆うように流し込みカバーグラスをのせてサンプルとし、顕微鏡観察し、図１に示す基準に従って、メラニンの存在状態を１（悪い）〜５（良い）の評点を付して評価した。又、専門パネラーを用い、モーフィングにより作成した図２に示す色ムラの標準顔を用いていろムラの状態を１（悪い）〜５（良い）の評点を付して評価した。又、全体的に印象より、肌の美しさを１（美しくない）〜５（美しい）の評点を付し評価した。これらを重回帰分析にかけたところ重相関係数０．６６１７で（肌の美しさ）＝０．２５３×（角質細胞に於けるメラニンの存在状態）＋０．９３６×（肌の色ムラ）＋１．３５４で著される式に回帰していることがわかった。この時の標準回帰係数は角質細胞に於けるメラニンの存在状態が０．１９８であり、色ムラが０．５９０であった。即ち、その加重比はメラニンの存在状態０．２〜０．４に対して、色ムラ０．６〜０．８となることがわる。この寄与率に従って算出した色調順調度と肌の美しさをプロットすると、図３に示す如く、（肌の美しさ）＝０．８９６１×（色調順調度）＋１．５０９５の直線式に回帰する。
【００１２】
【表２】
2005283595.tif 000003
【実施例】
【００１３】
以下に実施例を示して、本発明について更に詳細に説明を加えるが、本発明がこれら実施例にのみ限定を受けないのは言うまでもない。
＜実施例１＞
【００１４】
次に示す、６種の化粧料を作成し、上記重相関関係式を用いて、パネラーに合わせた化粧料の選択を試みた。これらの化粧料の処方は下記に示す。即ち、無作為に選出した女性パネラー５０名を用い、これを２群に分け、１群は上記の式に従って、色調順調度を算出し、１以上２未満、２以上３未満、３以上４未満、４以上５未満、５以上（数値が低いほど色ムラやメラニンの状況が悪い。）に分類し、それぞれに対し化粧料１、２、３、４、５を選択し、残りの１群は、色調順調度は算出するものの、全員に化粧料３を渡した。これらの化粧料をそれぞれ３カ月使用してもらい、使用後に色調順調度を測定し、使用前の色調順調度を減じ、色調改善度を算出した。この色調改善度を群毎に平均したところ、本発明の選択法に従って選択した群は１．５３であったのに対し、化粧料３のみを使用した群は０．８６であった。これより本発明の化粧料の選択法により、美白化粧料の個別対応が可能であり、適した化粧料が選択できることがわかる。
【００１５】
（化粧料１）
グリセリン                             ３    重量部
１，３−ブタンジオール                 ５    重量部
エタノール                           １０    重量部
アルブチン                             ０．５重量部
アスコルビン酸燐酸２マグネシウム       ０．１重量部
ソウハクヒエキス                       ０．３重量部
メチルパラベン                         ０．１重量部
水                                   ８１    重量部
【００１６】
（化粧料２）
グリセリン                             ３    重量部
１，３−ブタンジオール                 ５    重量部
エタノール                           １０    重量部
アルブチン                             ０．５重量部
ローヤルゼリー                         ０．１重量部
ソウハクヒエキス                       ０．３重量部
メチルパラベン                         ０．１重量部
水                                   ８１    重量部
【００１７】
（化粧料３）
グリセリン                             ３    重量部
１，３−ブタンジオール                 ５    重量部
エタノール                           １０    重量部
ローヤルゼリー                         ０．１重量部
アスコルビン酸燐酸２マグネシウム       ０．１重量部
ソウハクヒエキス                       ０．３重量部
メチルパラベン                         ０．１重量部
水                                   ８１．４重量部
【００１８】
（化粧料４）
グリセリン                             ３    重量部
１，３−ブタンジオール                 ５    重量部
エタノール                           １０    重量部
ローヤルゼリー                         ０．１重量部
ソウハクヒエキス                       ０．３重量部
メチルパラベン                         ０．１重量部
水                                   ８１．５重量部
【００１９】
（化粧料５）
グリセリン                             ３    重量部
１，３−ブタンジオール                 ５    重量部
エタノール                           １０    重量部
ローヤルゼリー                         ０．１重量部
ソウハクヒエキス                       ０．３重量部
メチルパラベン                         ０．１重量部
水                                   ８１．５重量部
【図面の簡単な説明】
【００２０】
【図１】メラニンの存在状態の基準を示す図である。
【図２】色ムラの基準を示す図である。
【図３】肌の美しさと色調順調度の関係を示す図である。
【図１】
2005283595.tif 000004
【図２】
2005283595.tif 000005
【図３】
2005283595.tif 000006